(57)【要約】【課題】遊技媒体の貸しレートを複数で営業する遊技店において、不正遊技を正確に検出できる装置を提供する。【解決手段】遊技媒体の貸しレートを複数で営業する遊技店（Ａ）に設置される遊技機（２）の不正遊技を検出する装置（１）であって、各遊技機の遊技機データ（Ｙａ，Ｙｂ）を一定周期毎に収集する遊技機情報取得手段（３）と、遊技機データに基づき遊技機毎に賞率（Ｂａ，Ｂｂ）を算出する賞率算出手段（６）と、賞率が不正か否かを判定するための判定データ（Ｔａ，Ｔｂ）を入力設定する入力設定手段（５）と、賞率算出手段で算出された賞率と入力設定手段で入力設定された判定データとを比較する賞率比較手段（６）とを有し、入力設定手段は、貸しレート毎の判定データ）を入力設定可能に構成され、賞率比較手段は、入力設定手段で入力設定された貸しレート毎の判定データと、賞率算出手段で算出された賞率との比較処理をそれぞれ並列処理で行う。【選択図】      図１
2009261666.tif 000002
【特許請求の範囲】
【請求項１】
遊技媒体を遊技客に貸与するときの貸しレートを複数として営業する遊技店（Ａ）に設置される遊技機（２）の不正遊技を検出するように構成された遊技機の不正遊技検出装置（１）であって、
複数の遊技機（２）における遊技機データ（Ｙａ，Ｙｂ）を一定周期毎に収集する遊技機情報取得手段（３）と、遊技機データ（Ｙａ，Ｙｂ）に基づき遊技機（２）毎に賞率（Ｂａ，Ｂｂ）を算出する賞率算出手段（６）と、賞率（Ｂａ，Ｂｂ）が不正か否かを判定するための判定データ（Ｔａ，Ｔｂ）を入力設定する入力設定手段（５）と、賞率算出手段（６）で算出された賞率（Ｂａ，Ｂｂ）と入力設定手段（５）で入力設定された判定データ（Ｔａ，Ｔｂ）とを比較する賞率比較手段（６）とを有し、
入力設定手段（５）は、貸しレート毎の判定データ（Ｔａ，Ｔｂ）を入力設定可能に構成され、
賞率比較手段（６）は、入力設定手段（５）で入力設定された貸しレート毎の判定データ（Ｔａ，Ｔｂ）と、賞率算出手段（６）で算出された賞率（Ｂａ，Ｂｂ）との比較処理をそれぞれ並列処理で行うように構成されることを特徴とする遊技機の不正遊技検出装置。
【請求項２】
遊技機（２）は、パチンコ玉またはメダル等の遊技媒体を用いて遊技される形態である請求項１に記載の遊技機の不正遊技検出装置。
【請求項３】
遊技機（２）における当り数、外れ数、遊技媒体の投入数、大当たり回数、確率変動数、図柄確定回数の少なくとも一つを遊技機データとして賞率（Ｂａ，Ｂｂ）を求めるように構成された請求項１または請求項２に記載の遊技機の不正遊技検出装置。
【発明の詳細な説明】
【技術分野】
【０００１】
本発明は遊技機の不正遊技検出装置に関する。より詳しくは、パチンコ台やスロットマシン等の遊技機が不正に遊技されたことを検出する装置に関する。
【背景技術】
【０００２】
従来、パチンコ店においては、通常１個４円でパチンコ玉を貸し出していた。しかし、最近では、貸し玉を１個１円や２円等の低レートに引き下げたいわゆる「低レートパチンコ」が流行している。これは、ギャンブル性が高い「ハイリスク・ハイリターン」を敬遠する客のパチンコ離れが進む中、かつての大衆娯楽への転換を図ろうとする試みであり、特に高齢者や若年層に好評である。同一店舗内で「４円パチンコ」のコーナーと、「低レートパチンコ」のコーナーとを共存させる営業形態をとる店も増加している（例えば特許文献１参照）。
【０００３】
ところで、パチンコ台やスロットマシン等の遊技機が不正に遊技される行為は後を絶たない。例えば、特殊な電磁波信号発生装置を用いて強力な電波を遊技機に向けて発射し、遊技機に搭載された電子デバイスに電波障害を引き起し、賞率を良くしたり、遊技店閉店後に店内に侵入し遊技機をこじ開けて裏ロムに交換したりするなどの手口がある。
【０００４】
このような不正遊技は、従来においては、例えば、パチンコ台毎に設けられた情報ユニットから各台の当り玉数及び外れ玉数のデータを一定周期毎に収集し、このデータに基づき台毎にベースデータ（当り玉数／外れ玉数）を求め、このベースデータと予め設定した判定データＴ１とを比較し、ベースデータが判定データＴ１を越えたときに警報を発することで検出していた。
【特許文献１】特開２００５−６５８１７号公報
【発明の開示】
【発明が解決しようとする課題】
【０００５】
上記した「低レートパチンコ」のコーナーと「４円パチンコ」のコーナーとを共存させる営業形態、すなわち貸し玉の貸しレートを複数として営業する遊技店では、一般には貸し玉の貸しレートに応じてパチンコ台の出玉率等の設定を変えることが、経営効率上、都合のよいことがある。そこで、例えば「低レートパチンコ」の台の出玉率をＨａ、「４円パチンコ」の台の出玉率をＨｂ（Ｈａ＞Ｈｂ）に設定したとする。この設定の下で、上記した従来の不正遊技検出手法のように、判定データＴ１により各台のベースデータとの比較を行うと、不正遊技を正確に検出することができないという問題が生じる。
【０００６】
例えば判定データＴ１をＨａ＞Ｔ１＞Ｈｂの範囲に設定したとする。この設定の下で「低レートパチンコ」の台から得られたベースデータＢａが、Ｈａ＞Ｂａ＞Ｔ１の関係を満たした場合は、「低レートパチンコ」の台で遊技している遊技客が、不正遊技をしていないにも拘わらず、不正の警報が出てしまう。以上の問題は、貸し玉の貸しレートを複数としたパチンコ台に限らず、貸しメダルの貸しレートを複数としたスロットマシンについても同様なことが言える。
【０００７】
本発明は、このような問題に鑑みてなされたものであり、遊技媒体を遊技客に貸与するときの貸しレートを複数として営業する遊技店において、遊技機の不正遊技を正確に検出することのできる遊技機の不正遊技検出装置を提供することを目的とする。
【課題を解決するための手段】
【０００８】
上記目的は、下記の本発明により達成される。なお「特許請求の範囲」及びこの「課題を解決するための手段」の欄において各構成要素に付した括弧書きの符号は、後述する実
施形態に記載の具体的手段との対応関係を示すものである。
【０００９】
請求項１の発明は、遊技媒体を遊技客に貸与するときの貸しレートを複数として営業する遊技店（Ａ）に設置される遊技機（２）の不正遊技を検出するように構成された遊技機の不正遊技検出装置（１）であって、複数の遊技機（２）における遊技機データ（Ｙａ，Ｙｂ）を一定周期毎に収集する遊技機情報取得手段（３）と、遊技機データ（Ｙａ，Ｙｂ）に基づき遊技機（２）毎に賞率（Ｂａ，Ｂｂ）を算出する賞率算出手段（６）と、賞率（Ｂａ，Ｂｂ）が不正か否かを判定するための判定データ（Ｔａ，Ｔｂ）を入力設定する入力設定手段（５）と、賞率算出手段（６）で算出された賞率（Ｂａ，Ｂｂ）と入力設定手段（５）で入力設定された判定データ（Ｔａ，Ｔｂ）とを比較する賞率比較手段（６）とを有し、入力設定手段（５）は、貸しレート毎の判定データ（Ｔａ，Ｔｂ）を入力設定可能に構成され、賞率比較手段（６）は、入力設定手段（５）で入力設定された貸しレート毎の判定データ（Ｔａ，Ｔｂ）と、賞率算出手段（６）で算出された賞率（Ｂａ，Ｂｂ）との比較処理をそれぞれ並列処理で行うように構成されることを特徴とする。
【００１０】
請求項２の発明では、遊技機（２）は、パチンコ玉やメダル等の遊技媒体を用いて遊技される形態である。
【００１１】
請求項３の発明では、遊技機（２）における当り数、外れ数、遊技媒体の投入数、大当たり回数、確率変動数、図柄確定回数の少なくとも一つを遊技機データ（Ｙａ，Ｙｂ）として賞率（Ｂａ，Ｂｂ）を求めるように構成される。
【００１２】
本発明によると、入力設定手段（５）は、貸しレート毎の判定データ（Ｔａ，Ｔｂ）を入力設定可能とされ、賞率比較手段（６）は、入力設定手段（５）で入力設定された貸しレート毎の判定データ（Ｔａ，Ｔｂ）と、賞率算出手段（６）で算出された賞率（Ｂａ，Ｂｂ）との比較処理をそれぞれ並列処理で行うように構成される。これにより、出球率等が貸しレート別に異なるように予め設定された遊技機（２）について、それぞれの判定データ（Ｔａ，Ｔｂ）での比較処理を同時にできるようになる。
【００１３】
例えば、遊技媒体の貸しレートが互いに異なる遊技機（２ａ，２ｂ）について、遊技機（２ａ）の出玉率をＨａ、遊技機（２ｂ）の出玉率をＨｂ（Ｈａ＞Ｈｂ）に予め設定してある場合、入力設定手段（５）からＴａ＞Ｈｂ，Ｙａ＞Ｈａというように、判定データ（Ｔａ，Ｔｂ）を貸しレート別に入力設定することができ、賞率比較手段（６）は、それぞれの判定データ（Ｔａ，Ｔｂ）に応じた賞率（Ｂａ，Ｂｂ）との比較処理を行うことができる。これにより、遊技媒体を遊技客に貸与するときの貸しレートを複数として営業する遊技店（Ａ）において、遊技機（２）の不正遊技の検出が正確にできるようになる。
【００１４】
上記各パラメータのうち図柄確定回数及び確率変動数について補足説明する。
【００１５】
パチンコ台には前面パネルに特別図柄表示装置が備えられているものがある。特別図柄表示装置は、それぞれ独立して回転するように３つ並んだ０〜９の数字または図柄を備え、回転している各特別図柄のすべてが停止し終わったときの数字または図柄の揃い方により入賞の度合いが変わるようになっている。図柄確定回数は全特別図柄の停止する回数を意味する。
【００１６】
パチンコ台には、特定の図柄で大当たりすると、次の大当たりまで大当たりの確率が増大変動する確率変動機と称されるものがある。確率変動機には、回転入賞口である始動用チューリップが備えられ、大当たりをすると、確率変動状態となって始動用チューリップがよく開くようになる。確率変動数は確率変動状態となる回数を意味する。
【００１７】
本発明では、これらのパラメータを、賞率（＝Ｂ）を算出するためのデータとして用いる。例えばＢ＝（図柄確定回数）／（外れ数）としたり、Ｂ＝（大当たり中の当り数）／（大当たり中の外れ数）としたり、Ｂ＝（大当たり中の当り数）−（大当たり中の外れ数）としたり、Ｂ＝（図柄確定回数）／（外れ数）としたり、Ｂ＝（当り数）／（遊技媒体の投入数）とすることができる。本発明で用いる「賞率」は、言い換えれば不正な手段によりパラメータ値を変更でき且つ不当利益獲得の可能性のある算出データである。
【発明の効果】
【００１８】
本発明によると、遊技媒体を遊技客に貸与するときの貸しレートを複数として営業する遊技店において、遊技機の不正遊技を正確に検出することができるようになる。
【発明を実施するための最良の形態】
【００１９】
図１は本発明に係る遊技機の不正遊技検出装置１を示す構成図、図２は管理コンピュータ６の構成概要を示すブロック図である。本明細書において、「１円パチンコ」に対応する構成要素の符号については「２ａ」「３ａ」のように数字の末尾に「ａ」を付し、「４円パチンコ」に対応する構成要素の符号については「２ｂ」「３ｂ」のように数字の末尾に「ｂ」を付すことがあるが、特に「１円パチンコ」と「４円パチンコ」とで区別して言う必要のないときは、「２」「３」のように単に数字のみとする。
【００２０】
図１に示すように、遊技機の不正遊技検出装置１は、遊技店Ａ内に設置され、遊技機２、台情報ユニット３、島内コンピュータ４、端末装置５、管理コンピュータ６及び警報装置７を備える。
【００２１】
遊技機２は、パチンコ台であり、１個１円でパチンコ玉を借りた客を対象とする遊技機２ａと、１個４円でパチンコ玉を借りた客を対象とする遊技機２ｂとからなる。遊技機２ａは１円パチンコの島Ｉ１に複数台設置され、遊技機２ｂは４円パチンコの島Ｉ２に複数台設置される。このように遊技店Ａは、貸し玉の貸しレートを複数として営業する形態をとっている。各遊技機２は、その配置される島Ｉ、貸しレート、機種などにより予め区分けされ、データ化されている。
【００２２】
台情報ユニット３は、各遊技機２における遊技機データＹａ，Ｙｂを出力するように構成され、遊技機２ａに対して設けられた台情報ユニット３ａと、遊技機２ｂに対して設けられた台情報ユニット３ｂとからなる。遊技機データＹａは、遊技機２ａの当り玉数及び外れ玉数のデータである。遊技機データＹｂは、遊技機２ｂの当り玉数及び外れ玉数のデータである。各台情報ユニット３ａは配線ケーブル２１ａにより互いに電気的に接続される。各台情報ユニット３ｂについても同様に配線ケーブル２１ｂにより互いに電気的に接続される。なお、当り玉数及び外れ玉数の検出は、遊技機２毎に設けられた光学計数装置等の適当な検出手段によりなされる。
【００２３】
島内コンピュータ４は、各島内の全ての遊技機２における遊技機データＹａ，Ｙｂを収集可能に構成され、島Ｉ１に対して設けられた島内コンピュータ４１と、島Ｉ２に対して設けられた島内コンピュータ４２とからなる。島内コンピュータ４１は、島Ｉ１内の全ての台情報ユニット３ａとデータ通信可能に構成され、各台情報ユニット３ａから出力された当り玉数及び外れ玉数のデータを一定周期毎に収集して逐次記憶するように構成される。
【００２４】
同様に、島内コンピュータ４２は、島Ｉ２内の全ての台情報ユニット３ｂとデータ通信可能に構成され、各台情報ユニット３ｂから出力された当り玉数及び外れ玉数のデータを一定周期毎に収集して逐次記憶するように構成される。
【００２５】
端末装置５は、マウスやキーボード等の入力部５１、データの記憶や演算を行う本体部５２、及び液晶ディスプレイ等の表示部５３を備え、管理コンピュータ６とデータ通信可能に構成され、貸し玉の貸しレート別に次述の判定データＴａ，Ｔｂを入力設定可能に構成される。
【００２６】
判定データＴａは、遊技機２ａが不正遊技されているか否かを判定するための基準データであり、ベースデータＢａの上限値と下限値とを設定するものとする。判定データＴｂは、遊技機２ｂが不正遊技されているか否かを判定するための基準データであり、ベースデータＢｂの上限値と下限値とを規定するものである。判定データＴａ，Ｔｂのそれぞれの上限値と下限値とは、ユーザの要望に応じて適宜変化させることができるようになっている。なお、判定データＴａ，Ｔｂは、貸しレート毎に、機種毎・島毎・任意のグループ毎で設定するようにしてもよい。また、管理コンピュータ６とネットワーク回線により接続された管理本部（遊技店Ａの外部）から配信できる構成にしてもよい。
【００２７】
表示部５３は、後述する不正信号Ｗａ，Ｗｂに基づき、不正遊技がされたと判断された遊技機２の台番号、島番号、不正発生日時などの情報を表示するように構成される。
【００２８】
管理コンピュータ６は、島内コンピュータ４及び端末装置５のいずれともデータ通信可能な構成とされ、図２に示すように、記憶部６１と処理部６２とを有する。
【００２９】
記憶部６１は、端末装置５から入力設定された判定データＴａ，Ｔｂを記憶するように構成される。また、島内コンピュータ４から送られた遊技機データＹａ，を一定周期毎に記憶するように構成される。
【００３０】
処理部６２は、記憶部６１に記憶された遊技機データＹａ，Ｙｂに基づいて、次述のベースデータＢａ，Ｂｂを算出し、一時的に記憶部６１に記憶させるように構成される。ベースデータＢａは、遊技機２ａ毎にそれぞれ算出された一定周期毎における外れ玉数に対する当り玉数の割合、つまり（当り玉数）／（外れ玉数）であり、本発明の賞率に相当する。同様に、ベースデータＢｂは、遊技機２ｂ毎にそれぞれ算出された一定周期毎における外れ玉数に対する当り玉数の割合である。
【００３１】
更に、処理部６２は、記憶部６１に記憶されたベースデータＢａと、同じく記憶部６１に記憶された判定データＴａとの比較処理をリアルタイムで行い、ベースデータＢａが判定データＴａの範囲外となった場合に、不正信号Ｗａを出力するように構成される。また、この処理と並列して、記憶部６１に記憶されたベースデータＢｂと、同じく記憶部６１に記憶された判定データＴｂとの比較処理をリアルタイムで行い、ベースデータＢｂが判定データＴｂの範囲外となった場合に、不正信号Ｗｂを出力するように構成される。
【００３２】
警報装置７は、処理部６２から不正信号Ｗａまたは不正信号Ｗｂが出力されたときに、警報を発するように構成される。警報の形態は、例えば、ブザーの発音やランプの点灯などを採用できる。
【００３３】
次に、図３も参照して、以上のように構成された遊技機の不正遊技検出装置１の動作機能について説明する。図３は遊技機の不正遊技検出装置１による不正遊技検出の処理概要を示すアクティビティー図である。以下の説明において、遊技機２ａの出玉率はＨａ、遊技機２ｂの出玉率はＨｂ（Ｈａ＞Ｈｂ）に予め設定してあるものとする。
【００３４】
〔判定データの入力設定〕
遊技店Ａの管理者は、貸しレートの異なる遊技機２ａ，２ｂ毎に判定データＴａ，Ｔｂを端末装置５から入力設定する。入力された遊技機２ａの判定データＴａと、遊技機２ｂの判定データＴｂとは、それぞれ管理コンピュータ６の記憶部６１に記憶される。以上の設定の下で遊技店Ａを開店する（ステップＳ１ａ，Ｓ１ｂ）。
〔ベース算出〕
【００３５】
遊技客は、遊技機２ａ及び遊技機２ｂで遊技を始める。遊技機２ａに接続された台情報ユニット３ａは、遊技機２ａの当り玉数及び外れ玉数のデータ、つまり遊技機データＹａを出力する。同様に遊技機２ｂに接続された台情報ユニット３ｂは、遊技機データＹｂを出力する。
【００３６】
島内コンピュータ４１は、各台情報ユニット３ａから出力された遊技機データＹａを一定周期毎に収集して逐次記憶する。この処理と並列して、各台情報ユニット３ｂから出力された遊技機データＹｂを一定周期毎に収集して逐次記憶する。
【００３７】
管理コンピュータ６は、島内コンピュータ４１から送られた遊技機データＹａを一定周期毎に記憶部６１に逐次記憶する。この処理と並列して、島内コンピュータ４２から送られた遊技機データＹｂを一定周期毎に記憶部６１に逐次記憶する。
【００３８】
管理コンピュータ６における処理部６２は、記憶部６１に記憶された遊技機データＹａ，Ｙｂに基づいて、ベースデータＢａ，Ｂｂを算出し、一時的に記憶部６１に記憶させる（ステップＳ２ａ，Ｓ２ｂ）。
【００３９】
その後、処理部６２は、記憶部６１に記憶されたベースデータＢａと、同じく記憶部６１に記憶された判定データＴａとをリアルタイムで比較し（ステップＳ３ａ）、ベースデータＢａが判定データＴａの範囲外となった場合は（ステップＳ４ａでイエス）、遊技機２ａで何らかの不正遊技が発生したとして、不正信号Ｗａを出力する。また、この処理と並列して、記憶部６１に記憶されたベースデータＢｂと、同じく記憶部６１に記憶された判定データＴｂとをリアルタイムで比較し（ステップＳ３ｂ）、ベースデータＢｂが判定データＴｂの範囲外となった場合は（ステップＳ４ｂでイエス）、遊技機２ｂで何らかの不正遊技が発生したとして、不正信号Ｗｂを出力する。また、そのときの台番号、島番号、範囲外となった値、不正発生日時などの情報を記憶部６１に履歴データとして記憶する。この内容は、表示部５３に表示されて管理者に知らされる。
【００４０】
不正信号Ｗａまたは不正信号Ｗｂが出力されたときに、警報装置７は、警報を発する（ステップＳ５ａ，Ｓ５ｂ）。
【００４１】
このように、遊技機の不正遊技検出装置１によると、遊技媒体の貸しレートが互いに異なる遊技機２ａ，２ｂについて、遊技機２ａの出玉率をＨａ、遊技機２ｂの出玉率をＨｂ（Ｈａ＞Ｈｂ）に予め設定してある場合、入力設定手段５からＴａ＞Ｈｂ，Ｙａ＞Ｈａというように、判定データＴａ，Ｔｂを貸しレート別に入力設定することができ、賞率比較手段６は、それぞれの判定データＴａ，Ｔｂに応じた賞率Ｂａ，Ｂｂとの比較処理を行うことができる。これにより、遊技媒体を遊技客に貸与するときの貸しレートを複数として営業する遊技店Ａにおいて、遊技機２の不正遊技の検出が正確にできるようになる。
【００４２】
以上、本発明の実施形態について説明を行ったが、上に開示した実施形態は、あくまで例示であって、本発明の範囲はこの実施の形態に限定されるものではない。本発明の範囲は、特許請求の範囲の記載によって示され、更に特許請求の範囲と均等の意味及び範囲内でのすべての変更を含むことが意図される。
【００４３】
例えば、ベースデータＢａ，Ｂｂは、遊技機２毎にそれぞれ算出された一定周期毎における外れ玉数に対する当り玉数の割合、つまり（当り玉数）／（外れ玉数）を用いたが、複数の絵柄や数字を回転表示させる回転表示機構の回転率などを用いてもよい。例えばＢ＝（図柄確定回数）／（外れ数）としたり、Ｂ＝（大当たり中の当り数）／（大当たり中の外れ数）としたり、Ｂ＝（大当たり中の当り数）−（大当たり中の外れ数）としたり、Ｂ＝（図柄確定回数）／（外れ数）としたり、Ｂ＝（当り数）／（遊技媒体の投入数）とすることができる。
【００４４】
また、遊技機２はパチンコ台としたが、遊技媒体をメダルとしたスロットマシンに適用することもできる。また、各種データの記憶はファイル形式で行ってもよい。また、ベースデータＢａ，Ｂｂの算出は、管理コンピュータ６で行うようにしたが、島内コンピュータ４で行うようにしてもよい。
【００４５】
また、遊技店Ａでは貸しレート数は１円、４円の合計２レートとしたが、１円、２円、４円の３レートとしたり、１円、２円、３円、４円の４レートとしたりしてもよい。勿論それ以上であってもよい。このような場合は、判定データやベースデータの数もそれぞれレート数に応じた数となる。
【００４６】
その他、遊技機の不正遊技検出装置１の全体または各部の構成、個数、設置場所、島の数、遊技機の類型や機種、各種コンピュータおける処理の内容や順序、及び表示形態などは、本発明の主旨に沿って適宜変更することができる。
【図面の簡単な説明】
【００４７】
【図１】本発明に係る遊技機の不正遊技検出装置を示す構成図である。
【図２】管理コンピュータの構成概要を示すブロック図である。
【図３】遊技機の不正遊技検出装置による不正遊技検出の処理概要を示すアクティビティー図である。
【符号の説明】
【００４８】
１  遊技機の不正遊技検出装置
２  遊技機
３  台情報ユニット（遊技機情報取得手段）
４  島内コンピュータ
５  端末装置（入力設定手段）
６  管理コンピュータ（賞率算出手段、賞率比較手段）
Ａ  遊技店
Ｂａ  ベースデータ（賞率）
Ｂｂ  ベースデータ（賞率）
Ｔａ  判定データ
Ｔｂ  判定データ
Ｙａ  遊技機データ
Ｙｂ  遊技機データ
【図１】
2009261666.tif 000003
【図２】
2009261666.tif 000004
【図３】
2009261666.tif 000005